【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
冷媒システム内の流体の流れを反転させ、駆動圧力の変動に応じて駆動される逆転弁と；
前記逆転弁へ装着されるアンカーパネルと、前記アンカーパネルから略垂直に延在する第１レッグパネルと、前記アンカーパネルから略垂直に延在する第２レッグパネルとを含み、前記第１および第２レッグパネルはそれぞれ第１および第２開口部を含み、前記第１および第２開口部は軸線を中心として整列される、取付ブラケットと；
中心穴を含み、前記中心穴が前記軸線に整列するように前記第１および第２レッグパネル間に収容されるソレノイドコイルと；
前記逆転弁へ駆動圧力を供給するパイロット弁であって、前記パイロット弁は第１端部と反対側の第２端部とを有する長尺の弁本体を含み、前記パイロット弁本体は前記中心穴へ収容されるとともに前記軸線に沿って延在して、前記第１端部は前記第１開口部から延在し、前記第２端部は前記第２レッグパネルへ当接して固定される、パイロット弁とを備える；
逆転弁アセンブリ。
【請求項２】
ねじ付き締結具を更に備え、前記第２端部は軸方向に配設されるねじ穴を含み、前記ねじ付き締結具は前記第２開口部へ挿通され、前記ねじ穴へ収容されることにより、前記第２端部を前記第２レッグパネルへ固定する；
請求項１に記載の逆転弁アセンブリ。
【請求項３】
前記第２端部は取付突起を含み、前記取付突起は前記第２開口部を通り抜けて突出する；
請求項１に記載の逆転弁アセンブリ。
【請求項４】
前記取付突起は、前記第２レッグパネルに隣接してかしめ、前記第２端部を前記第２レッグパネルへ固定する固定壁を含む；
請求項３に記載の逆転弁アセンブリ。
【請求項５】
前記取付突起は、リベット締めにより前記第２レッグパネルに隣接する肩部となって前記第２端部を前記第２レッグパネルへ固定する；
請求項３に記載の逆転弁アセンブリ。
【請求項６】
係止クリップを更に備え、前記係止クリップは、前記取付突起の周囲に配置されて前記第２端部を前記第２レッグパネルへ固定する；
請求項３に記載の逆転弁アセンブリ。
【請求項７】
前記係止クリップが前記第２レッグパネルに隣接している；
請求項６に記載の逆転弁アセンブリ。
【請求項８】
前記取付突起は、前記係止クリップを収容する溝を含む；
請求項６に記載の逆転弁アセンブリ。
【請求項９】
前記第２端部は、延在して前記第２開口部へ滑り嵌めされる取付突起を含み、前記取付突起と前記第２レッグパネルはそれぞれの合わせ目で一緒に溶接される；
請求項１に記載の逆転弁アセンブリ。
【請求項１０】
前記取付突起と前記第２レッグパネルは、溶加材のビードによりそれぞれの合わせ目で一緒に溶接される；
請求項９に記載の逆転弁アセンブリ。
【請求項１１】
前記第１および第２レッグパネルは、わずかに近接して前記ソレノイドコイルへ圧縮力を及ぼす；
請求項１に記載の逆転弁アセンブリ。
【請求項１２】
前記取付ブラケットは、金属板の連続したブランクで成形される；
請求項１に記載の逆転弁アセンブリ。
【請求項１３】
前記第１および第２開口部は略円形であり、前記第１開口部の直径は、第２開口部の直径より大きい；
請求項１に記載の逆転弁アセンブリ。
【請求項１４】
前記取付ブラケットの前記第１および第２レッグパネルはそれぞれ先端部を画定し、前記取付ブラケットは、更に前記第１および第２レッグパネルの前記先端部を接続するトップパネルを含む；
請求項１に記載の逆転弁アセンブリ。
【請求項１５】
前記第１レッグパネルは、前記第２レッグパネルに向かって内側へ傾斜し、前記ソレノイドコイルへ圧縮保持力を及ぼす；
請求項１４に記載の逆転弁アセンブリ。
【請求項１６】
前記第１レッグパネルは、前記第１開口部を通って分断され、前記トップパネルから延在する前記第１レッグパネルの上部と、前記アンカーパネルから延在する前記第１レッグパネルの下部とが形成される；
請求項１５に記載の逆転弁アセンブリ。
【請求項１７】
前記取付ブラケットは、金属板の連続したブランクで成形される；
請求項１６に記載の逆転弁アセンブリ。
【請求項１８】
前記第１レッグパネルは、前記第１開口部を通って分断され、前記トップパネルから延在する前記第１レッグパネルの上部と、前記アンカーパネルから延在する前記第１レッグパネルの下部とが形成される；
請求項１４に記載の逆転弁アセンブリ。
【請求項１９】
前記第１レッグパネルの前記上部および／または下部の少なくとも一方は、前記第２レッグパネルに向かって内側へ傾斜し、前記ソレノイドコイルへ圧縮保持力を及ぼす；
請求項１８に記載の逆転弁アセンブリ。
【請求項２０】
前記取付ブラケットは、、金属板の連続したブランクで成形される；
請求項１９に記載の逆転弁アセンブリ。
【請求項２１】
ソレノイド式弁アセンブリであって：
アンカーパネルと、前記アンカーパネルから略垂直に延在する第１レッグパネルと、前記アンカーパネルから略垂直に、かつ、前記第１レッグパネルと略平行に延在する第２レッグパネルとを含む少なくとも３つの面を有し、前記第１レッグパネルは第１開口部を含み、前記第１開口部は軸線を画定する、取付ブラケットと；
中心穴を含み、前記中心穴が前記軸線に整列するように前記第１および第２レッグパネル間に配置されるソレノイドコイルと；
第１端部と反対側の第２端部とを有する長尺の弁本体を含み、前記弁本体は前記軸線に概ね整列されるとともに前記中心穴へ収容されて、前記第１端部は前記第１開口部から延在し、前記第２端部は前記第２レッグパネルへ当接して固定される弁部材とを備える；
弁アセンブリ。
【請求項２２】
前記第２レッグパネルは、第２開口部を含み、前記第２開口部は前記軸線とまた前記第１開口部と整列される；
請求項２１に記載の弁アセンブリ。
【請求項２３】
ねじ付き締結具を更に備え、前記第２端部は軸方向に配設されるねじ穴を含み、前記ねじ付き締結具は前記第２開口部へ挿通され、前記ねじ穴へ収容されることにより、前記第２端部を前記第２レッグパネルへ固定する；
請求項２２に記載の弁アセンブリ。
【請求項２４】
前記取付ブラケットは、金属板の連続したブランクで成形される；
請求項２１に記載の弁アセンブリ。
【請求項２５】
前記取付ブラケットの前記第１および第２レッグパネルはそれぞれ先端部を画定し、前記取付ブラケットは、前記第１および第２レッグパネルの前記先端部を接続するトップパネルを更に含む；
請求項２１に記載の弁アセンブリ。
【請求項２６】
前記第１レッグパネルは、前記第２レッグパネルに向かって内側へ傾斜し、前記ソレノイドコイルへ圧縮保持力を及ぼす；
請求項２５に記載の弁アセンブリ。
【請求項２７】
前記第１レッグパネルは、前記第１開口部を通って分断され、前記トップパネルから延在する前記第１レッグパネルの上部と、前記アンカーパネルから延在する前記第１レッグパネルの下部とが形成される；
請求項２６に記載の弁アセンブリ。
【請求項２８】
前記取付ブラケットは、金属板の連続したブランクで成形される；
請求項２７に記載の弁アセンブリ。
【請求項２９】
前記第１レッグパネルの前記上部および／または下部の少なくとも一方は、前記第２レッグパネルに向かって内側へ傾斜し、前記ソレノイドコイルへ圧縮保持力を及ぼす；
請求項２７に記載の弁アセンブリ。
【請求項３０】
アンカーパネルと、前記アンカーパネルから略垂直に延在し、先端部を画定する第１レッグパネルと、前記アンカーパネルから略垂直に、かつ、前記第１レッグパネルと略平行に延在し、先端部を画定する第２レッグパネルと、前記第１および第２レッグパネルの前記先端部を接続するトップパネルとを含む４つの面を有し、前記第１レッグパネルは軸線を画定する第１開口部を含む、取付ブラケットと；
中心穴を含み、前記中心穴が前記軸線に整列するように前記第１および第２レッグパネル間に配置されるソレノイドコイルと；
第１端部と反対側の第２端部とを有する長尺の弁本体を含み、前記弁本体は前記軸線に概ね整列されるとともに前記中心穴へ収容されて、前記第１端部は前記第１開口部から延在し、前記第２端部は前記第２レッグパネルへ当接して固定される、弁部材とを備える；
弁アセンブリ。  
【請求項３１】
前記第１レッグパネルは、前記第２レッグパネルに向かって内側へ傾斜し、前記ソレノイドコイルへ圧縮保持力を及ぼす；
請求項３０に記載の弁アセンブリ。
【請求項３２】
前記第１レッグパネルは、前記第１開口部を通って分断され、前記トップパネルから延在する前記第１レッグパネルの上部と、前記アンカーパネルから延在する前記第１レッグパネルの下部とが形成される；
請求項３１に記載の弁アセンブリ。
【請求項３３】
前記取付ブラケットは、金属板の連続したブランクで成形される；
請求項３２に記載の弁アセンブリ。
【請求項３４】
ねじ付き締結具を更に備え、前記第２端部は軸方向に配設されるねじ穴を含み、前記ねじ付き締結具は前記第２開口部へ挿通され、前記ねじ穴へ収容されることにより、前記第２端部を前記第２レッグパネルへ固定する；
請求項３３に記載の弁アセンブリ。
【請求項３５】
前記第２端部は前記第２開口部を通り抜けて突出する取付突起を含む；
請求項３３に記載の弁アセンブリ。
【請求項３６】
前記取付突起は、前記第２レッグパネルに隣接してかしめられて前記第２端部を前記第２レッグパネルへ固定する固定壁を含む；
請求項３５に記載の弁アセンブリ。
【請求項３７】
前記取付突起は、リベット締めにより前記第２レッグパネルに隣接する肩部となって前記第２端部を前記第２レッグパネルへ固定する；
請求項３５に記載の弁アセンブリ。
【請求項３８】
係止クリップを更に備え、前記係止クリップは、前記取付突起の周囲に配置されて前記第２端部を前記第２レッグパネルへ固定する；
請求項３５に記載の弁アセンブリ。
【請求項３９】
前記取付突起は、前記係止クリップを収容する溝を含む；
請求項３８に記載の弁アセンブリ。
【請求項４０】
前記第２端部は、延在して前記第２開口部へ滑り嵌めされる取付突起を含み、前記取付突起と前記第２レッグパネルはそれぞれの合わせ目で一緒に溶接される；
請求項３３に記載の弁アセンブリ。
【手続補正２】
【補正対象書類名】明細書
【補正対象項目名】０００９
【補正方法】変更
【補正の内容】
【０００９】
本発明のいくつかの形態では、取付ブラケットの第１および第２レッグパネルはそれぞれ先端部を画定し、両先端部はトップパネルで接続される。第１レッグパネルを、ソレノイドコイルへ圧縮保持力を及ぼすように、第２レッグパネルに向かって内側へ傾斜させてもよい。第１レッグパネルは、トップパネルから延在する第１レッグパネルの上部と、アンカーパネルから延在する第１レッグパネルの下部とが形成されるように、第１開口部で分断されてもよい。
【手続補正３】
【補正対象書類名】図面
【補正対象項目名】図９
【補正方法】変更
【補正の内容】
【図９】
2008510947.tif 000001